(57)【要約】【課題】プロジェクタ装置等電子機器を壁にぴったりとつけて設置したときに筐体の側面に設けられた排気口が自動的に開くようにする。【解決手段】プロジェクタ装置の筐体１０は前面１１側にスクリーンを有し、背面１２は壁にぴったりとつけて設置される。筐体１０の背面１２には背面排気口１４、側面１３には側面排気口１５が設けられ、筐体１０の背面１２を壁にぴったりとつけたときには、背面転倒防止部材３１が壁面に押されて筐体１０の内部へ引き込まれる。このとき、筐体１０に内蔵されているシャッターをラック４１に係合するギヤによって回動させ、背面排気口１４を塞いで側面排気口１５を開口させる。すなわち、背面排気から側面排気に切換える。【選択図】図１
2005292210.tif 000002
【特許請求の範囲】
【請求項１】
電子部品を内蔵し、構築物の壁面に密着自在である背面を有する筐体と、前記筐体の前記背面に開口する第１の排気口と、前記筐体の一側面に開口する第２の排気口と、前記筐体と前記壁面間のスペースを検出する検出手段と、前記検出手段の出力に基づいて前記第１および前記第２の排気口を交互に閉鎖することで、前記筐体の換気のための排気方向の切換を行うシャッター手段とを有することを特徴とする電子機器筐体構造。
【請求項２】
電子部品および回転自在な入出力端子を内蔵する筐体と、前記筐体の背面に開口する第１の端子開口部と、前記筐体の一側面に開口する第２の端子開口部と、検出手段の出力に基づいて前記入出力端子を回転させ、前記第１および前記第２の端子開口部から交互に前記入出力端子の接続面を露出させる端子回転手段とを備えたことを特徴とする請求項１記載の電子機器筐体構造。
【請求項３】
前面のスクリーンに光像を投写する投写管および回転自在な入出力端子を内蔵し、構築物の壁面に密着自在である背面を有する筐体と、前記筐体の前記背面に開口する第１の端子開口部と、前記筐体の一側面に開口する第２の端子開口部と、前記筐体と前記壁面間のスペースを検出する検出手段と、前記検出手段の出力に基づいて前記入出力端子を回転させ、前記第１および前記第２の端子開口部から交互に前記入出力端子の接続面を露出させる端子回転手段とを有することを特徴とするプロジェクタ装置。
【請求項４】
前面のスクリーンに光像を投写する投写管を内蔵し、構築物の壁面に密着自在である背面を有する筐体と、前記筐体の前記背面に開口する第１の排気口と、前記筐体の一側面に開口する第２の排気口と、前記筐体と前記壁面間のスペースを検出する検出手段と、前記検出手段の出力に基づいて前記第１および前記第２の排気口を交互に閉鎖することで、前記筐体の換気のための排気方向の切換を行うシャッター手段とを有することを特徴とするプロジェクタ装置。
【請求項５】
スクリーンを有する筐体上部に比べて幅寸法の小さい筐体下部を有し、第１および第２の排気口が前記筐体下部に設けられていることを特徴とする請求項４記載のプロジェクタ装置。
【発明の詳細な説明】
【技術分野】
【０００１】
本発明は、転倒防止金具等を備えた薄型の筐体を有し、壁にぴったりとつけて設置することのできる据置型の電子機器筐体構造およびプロジェクタ装置に関するものである。
【背景技術】
【０００２】
照明用の光源等を内蔵するプロジェクタ装置等の電子機器の筐体の背面には、筐体内部の電子部品を冷却するための排気口が設けられる。例えば、特許文献１に開示されたプロジェクタ装置（背面投写型画像表示装置）においては、図１２に示すように、壁面Ｗに当接されるバックカバー１０４に段差部１０４ａを設けて、下部の排気口１０５が壁面Ｗによって塞がれることのないように工夫されている。この装置の内部には、光像を出射する投写管１０１、その光像を反射させる反射鏡１０２が内蔵され、前面側には、光像が投射されるスクリーン１０３が配置されている。そして、筐体底部の吸気口１０６、バックカバー１０４の排気口１０５によって換気が図られ、装置内部の各種光学部品、電装部、液晶ライトバルブ等の昇温を防ぐように構成されていた。
【０００３】
バックカバー１０４には段差部１０４ａを設けてあるため、前述のように、プロジェクタ装置を壁面Ｗにぴったりとつけて設置しても、壁面Ｗが排気口１０５を塞ぐことはない。
【特許文献１】登録実用新案公報第３０１４３３号
【発明の開示】
【発明が解決しようとする課題】
【０００４】
従来のプロジェクタ装置等電子機器の筐体構造においては、筐体内の冷却を筐体の背面に設けた排気口によって行っており、特許文献１に開示されたように、装置を壁にぴったりとつけて設置可能にするために、筐体上部の奥行き寸法を筐体下部よりも大きく構成し、筐体下部の背面に排気口を設けて、筐体を壁にぴったりとつけた場合に排気口が壁面によって塞がれることを防止しているが、プロジェクタ装置等の薄型化が進む中で、筐体に段差部がない構成にすると、排気口が壁面に塞がれるため、壁から離して設置しなければならない。このような設置方法では、装置を薄型化した意味がなくなる。
【０００５】
本発明は上記従来の技術の有する未解決の課題に鑑みてなされたものであり、据置型のプロジェクタ装置等の電子機器の背面を壁面に密着させて設置したときに、換気のための排気方向等を自動的に切換えることのできる電子機器筐体構造およびプロジェクタ装置を提供することを目的とするものである。
【課題を解決するための手段】
【０００６】
上記目的を達成するため、本発明の電子機器筐体構造は、電子部品を内蔵し、構築物の壁面に密着自在である背面を有する筐体と、前記筐体の前記背面に開口する第１の排気口と、前記筐体の一側面に開口する第２の排気口と、前記筐体と前記壁面間のスペースを検出する検出手段と、前記検出手段の出力に基づいて前記第１および前記第２の排気口を交互に閉鎖することで、前記筐体の換気のための排気方向の切換を行うシャッター手段とを有することを特徴とする。
【０００７】
本発明のプロジェクタ装置は、前面のスクリーンに光像を投写する投写管を内蔵し、構築物の壁面に密着自在である背面を有する筐体と、前記筐体の前記背面に開口する第１の排気口と、前記筐体の一側面に開口する第２の排気口と、前記筐体と前記壁面間のスペースを検出する検出手段と、前記検出手段の出力に基づいて前記第１および前記第２の排気口を交互に閉鎖することで、前記筐体の換気のための排気方向の切換を行うシャッター手段とを有することを特徴とする。
【発明の効果】
【０００８】
壁とプロジェクタ装置等の筐体の背面との間のスペースを検知する検知手段を備え、検知手段の出力により自動的に排気方向を切換える構成であるため、プロジェクタ装置等を構築物である室内の壁にぴったりとつけて設置することができる。その結果、装置と壁との間に排気のための無駄なスペースを確保する必要がなく、スペースの有効利用を図ることができる。
【０００９】
また、検知手段により入出力端子の接続方向を自動的に切換える構成にすることで、１個の入出力端子を筐体の背面側と側面側との双方で使用することが可能となる。
【００１０】
さらに、筐体下部の幅寸法を、少なくとも一部分がスクリーンを有する筐体上部の画像表示部の幅寸法より小さくなるように設定し、筐体下部で側面排気を行うように構成することで、プロジェクタ装置の隣に他の物、例えば、本棚を配置したり、複数のプロジェクタ装置を隣接して配置することが可能となる。すなわちプロジェクタ装置の側方に、側面排気のためのスペースを設ける必要がなく、他の物を密着して配置することで、スペースの有効利用をより一層促進できる。
【発明を実施するための最良の形態】
【００１１】
図１に示すように、電子機器であるプロジェクタ装置（背面投写型画像表示装置）の筐体１０は、前面１１には光像が投影されるスクリーンが設けられ、背面１２の下部を壁にぴったりとつけて設置することのできる据置型の筐体構造を有する。また、前面側には、図３に示す前面転倒防止部材２１、背面側には壁との間のスペースを検出する検出手段を構成する背面転倒防止部材３１を備え、筐体１０の内部には、従来例と同様の図示しない電子部品である投写管や反射鏡、回路部品等が内蔵される。筐体１０の背面１２は第１の排気口である背面排気口１４、一方の側面１３には第２の排気口である側面排気口１５が設けられ、両排気口１４、１５から、図４に示す排気手段である冷却ファン１６による冷却空気を排出自在である。
【００１２】
前面転倒防止部材２１を摺動させながら、筐体１０の底部を支えるキャスター２２や背面転倒防止部材３１のキャスター３２を転動させて、室内の壁際に装置を設置するとき、背面１２から突出する背面転倒防止部材３１が壁に押されて筐体１０の内部に引込まれると同時に、背面転倒防止部材３１に連動して図２に示すシャッター手段であるシャッター４５が回動し、背面排気口１４による背面排気を側面排気口１５による側面排気に切換えるように構成し、装置を壁にぴったりとつけて設置したときは側面排気のみによって内部冷却のための換気を行う。
【００１３】
また図８に示すように、背面転倒防止部材３１の進退に連動して、入出力端子６１を回転させ、その接続面６１ａを背面側から側面側に切換える構成にすることにより、装置を壁にぴったりとつけて設置したときには側面側からの端子接続を可能にする。
【００１４】
さらに図１１に示すように、スクリーンにより画像表示を行う画像表示部を有する筐体上部の幅寸法より画像表示部の下方に配置される筐体下部の支持部の幅寸法が、少なくとも局部的に小さくなるように構成することにより、例えば２台横並びのプロジェクタ装置を壁にぴったりとつけて設置した場合でも側面排気のスペースを確保することができる。
【実施例１】
【００１５】
図１に示すプロジェクタ装置の筐体１０は、前述のように、内部に図示しない投写管、反射鏡、冷却ファン１６等を有し、前面側にはスクリーンを備えている。筐体１０が背面側に倒れるのを防止する背面転倒防止部材３１は下向きのＬ型形状部材であり、その側面にはラック４１が配設され、床面上のキャスター３２と、図２に示すように筐体１０内でその底面と接しているローラー３４によって、筐体１０の背面側の開口から出入自在である。背面転倒防止部材３１は、一方を筐体１０の内部に、他方を背面転倒防止部材３１の内端に取付けた圧縮コイルバネ３３によって筐体１０の背面１２から所定量だけ突出した位置に付勢されている。
【００１６】
ラック４１とかみ合っているギア４２ａは、ギア４２ｂおよびベルト４３を介してシャッター軸４４を回転させ、排気口切換え用のシャッター４５を回動させて、背面排気口１４と側面排気口１５を交互に閉じることで、背面排気と側面排気の切換を行う。
【００１７】
図３および図４は、キャスター２２による筐体１０の移動に伴うシャッター４５の切換動作を説明するもので、筐体１０内を冷却するための冷却ファン１６による排気は、図３の（ｃ）および図４の（ｃ）に示すように、筐体１０を壁面Ｗと離して設置した場合は、シャッター４５が側面排気口１５を塞いでいるので、冷却ファン１６の排気は背面排気口１４から放出される。
【００１８】
筐体１０を壁面Ｗに近づけると、背面転倒防止部材３１が壁面Ｗに押されて矢印Ａ１で示すように筐体１０内に収納されるため、筐体１０の背面１２を壁面Ｗにぴったりつけることが可能となる。このときシャッター４５は、背面転倒防止部材３１が壁面Ｗに押されて矢印Ａ１で示すようにスライドし、背面転倒防止部材３１の側面に配設されたラック４１も同一方向に移動することにより、筐体１０内のギア４２ａ、４２ｂがそれぞれ矢印Ａ２、Ａ３で示す方向に回転し、ベルト４３によりシャッター軸４４が回転する。これによって、排気方向切換え用のシャッター４５が９０度回転し、図３の（ａ）および図４の（ａ）に示すように背面排気口１４を塞ぎ、側面排気口１５を開口させるため、筐体１０内を冷却する冷却ファン１６による排気は筐体１０の側面１３に排出される。
【００１９】
筐体１０を壁面Ｗにぴったりつけた状態から、図３の（ｂ）および図４の（ｂ）に示すように後退させると、圧縮コイルバネ３３の復元力により、背面転倒防止部材３１が矢印Ｂ１で示す方向に押出される。つまり、壁面Ｗから離した距離だけ背面転倒防止部材３１が押出され、その側面に配設されたラック４１の逆方向の移動によって矢印Ｂ２、Ｂ３で示すようにギア４２ａ、４２ｂが逆転し、排気方向切換え用のシャッター４５が逆向きに回動し、この間冷却ファン１６は、側面排気口１５と背面排気口１４の双方から放熱する。さらに筐体１０を壁面Ｗから離すと図３の（ｃ）および図４の（ｃ）に示す背面排気の状態となる。なお、本実施例では、背面転倒防止部材３１を筐体１０の内部に収納するように構成しているが、筐体１０の外側に、例えば底面や側面１３に沿って納めるように構成することも可能である。
【００２０】
このように、壁面に装置をぴったりつけて設置した場合に、筐体側面に排気するように自動的に切換が行われる構成にすることで、据置型のプロジェクタ装置等の薄型化を大幅に促進し、設置スペースの有効利用に貢献できる。
【実施例２】
【００２１】
図５ないし図７は実施例２を示すもので、一対の背面転倒防止部材５１、５２が、筐体１０の移動方向に直線的に引き込まれるのではなく、回転方向に引き込まれるように構成される。筐体１０、前面転倒防止部材２１、キャスター２２、シャッター軸４４、シャッター４５については実施例１と同様であるから同一符号で表わし説明は省略する。
【００２２】
図５に示すように、筐体１０の内部を冷却する空気の排気方向を切換えるためのシャッター４５のシャッター軸４４は、ベルト４３を介して、一方の背面転倒防止部材５２の回転と連動して回動自在であり、それぞれ上向きのＬ型形状をした背面転倒防止部材５１、５２は、床面をスライドし、コイルバネ５３、５４によって、筐体１０の背面１２から所定量だけ突出する回転位置に付勢されている。
【００２３】
背面転倒防止部材５２がコイルバネ５４に抗して回転すると、ベルト４３を介してシャッター軸４４が回転し、実施例１と同様にシャッター４５による背面排気と側面排気の切換が行われる。なお、コイルバネ５３、５４の一方の腕部５３ａ、５４ａは筐体１０に固定され、他方向の腕部５３ｂ、５４ｂは背面転倒防止部材５１、５２にそれぞれ固定される。
【００２４】
図６および図７は、背面転倒防止部材５２に連動するシャッター４５の排気方向切換動作を説明するもので、図６の（ｂ）および図７の（ｂ）に示すように、筐体１０が壁面Ｗから離れているときは、筐体１０の内部を冷却するための冷却ファン１６は、筐体１０の背面１２に排気する。図６の（ａ）および図７の（ａ）に示すように、筐体１０を壁面Ｗに近づけると、背面転倒防止部材５１、５２が壁に押されて筐体１０の内部に収納されるため、筐体１０は壁にぴったりつけることが可能となる。このとき、背面転倒防止部材５２がコイルバネ５４に抗して壁面Ｗに押されて、Ｃ１方向に回転し、ベルト４３を介してシャッター軸４４をＣ２方向に回転させることにより、シャッター４５が背面排気口１４を塞ぎ、側面排気口１５が開かれて背面排気の状態となる。
【００２５】
筐体１０を壁面Ｗにぴったりつけた後、壁から離すと、コイルバネ５３、５４の復元力により、筐体１０内から背面転倒防止部材５１、５２が押出される。すなわち、壁から離した距離だけ背面転倒防止部材５１、５２が押出され、完全に背面転倒防止部材５１、５２が押出されると、図６の（ｂ）および図７の（ｂ）に示すようにシャッター４５は再び背面排気の状態となる。背面転倒防止部材５１、５２が押出された場合でも、突起部が床面をスライドするため、邪魔になりにくい。
【００２６】
なお、本実施例では、背面転倒防止部材５１、５２を筐体１０の内部に収納しているが、筐体１０の底面や側面１３に沿って外側に収納される構成でもよい。
【００２７】
本実施例は、実施例１と同様に、筐体の背面を壁にぴったりつけて設置した場合には、自動的に側面排気に切換可能であり、しかも、完全に背面転倒防止部材が押し出された状態でも、背面転倒防止部材が床面近くに突出するため邪魔になりにくいという利点が付加される。
【実施例３】
【００２８】
図８は実施例３を示すもので、筐体１０に内蔵される電気回路を外部電源に接続するための入出力端子６１の接続面６１ａを、筐体１０の背面１２に開口する第１の端子開口部と側面１３に開口する第２の端子開口部を有する２方向開口型のＬ型開口１７に露出させるとともに、入出力端子６１を回転自在に筐体１０内に取付け、筐体１０を壁にぴったりとつけて設置した場合に、背面転倒防止部材３１の移動に連動して入出力端子６１を回転させ、側面から接続できるように構成したものである。筐体１０、前面転倒防止部材２１、背面転倒防止部材３１等については実施例１と同様であるから同一符号で表わし説明は省略する。なお、背面排気口１４と側面排気口１５による排気方向を切換えるための排気切換機構４２ａ〜４４およびシャッター４５については、説明を簡単にするために省略した。
【００２９】
図９は、背面転倒防止部材３１の移動に連動して入出力端子６１の接続面６１ａの方向を切換える機構を説明するもので、壁検出スイッチ６２は、背面転倒防止部材３１の後端に設けられた突起部３５によって押圧されるレバー６２ａを有する。
【００３０】
図９の（ｃ）に示す状態から筐体１０が壁に向かって移動するとともに、背面転倒防止部材３１が壁によって矢印Ｄ１で示す方向に押されて、突起部３５がレバー６２ａから離れると、壁検出スイッチ６２から同図の（ｄ）に示す端子回転手段であるモーター６３に駆動信号が送信され、モーター軸に取付けられたギア６３ａおよび入出力端子６１のギア６１ｂを介して、入出力端子６１を矢印Ｄ２で示すように回転させ、接続面６１ａの露出方向を同図の（ａ）で示すように側面側に切換る。
【００３１】
上記の切換動作を図１０のフローチャートに基づいて説明する。プロジェクタ装置を壁から離して設置した図９の（ｃ）に示す状態から筐体を壁に近づける工程で、まず、壁を検出する壁検出スイッチがＯＦＦされているかの確認を行う（ステップＳ１）。壁検出スイッチがＯＮされている場合には、スタートに戻る。壁検出スイッチがＯＦＦされている場合には、駆動信号をモーターに送信して、入出力端子を反時計回り、すなわちＤ２方向に９０度回転させ、入出力端子の接続面を側面に向ける（ステップＳ２）。次に、図９の（ｂ）に示すように筐体を壁から離間させ、背面転倒防止部材が矢印Ｅ１で示す方向に突出する過程で、壁を検出する壁検出スイッチがＯＮされているかの確認を行う（ステップＳ３）。壁検出スイッチがＯＦＦされている場合には、モーターを駆動しない。壁検出スイッチがＯＮされている場合には、駆動信号をモーターに送信して、入出力端子を時計回り、すなわちＤ2 方向と逆向きに９０度回転させ（ステップＳ４）、図９の（ｃ）に示すように入出力端子を背面に向け、スタートに戻る。
【００３２】
このような構成にすることにより、筐体を壁にぴったりつけて設置した場合には、入出力端子を回転させ、側面に接続可能とすることができる。
【００３３】
なお、背面転倒防止部材と一体であるラックによる排気切換機構の代わりに、壁検出スイッチの出力によってシャッターが回動する構成にすることもできる。
【実施例４】
【００３４】
図１１は実施例４を示すもので、筐体１０と同様の筐体７０の筐体上部７０ａと筐体下部７０ｂの幅寸法が同一ではなく、筐体上部７０ａより筐体下部７０ｂの幅を小さくすることで、２台横並び配置した場合でも、側面排気口７５による側面排気を可能とするものである。
【００３５】
２台横並び配置したプロジェクタ装置を壁にぴったりとつけて設置した場合でも、側面排気をする空間が存在するので、幅方向の設置スペースを最小限に抑えてスペースの有効利用に貢献できる。
【産業上の利用可能性】
【００３６】
プロジェクタ装置のみならず、内部冷却のための排気を必要とする据置型の電子機器の筐体構造に広く適用できる。
【図面の簡単な説明】
【００３７】
【図１】実施例１によるプロジェクタ装置を示す模式斜視図である。
【図２】図１の装置の排気方向切換え用のシャッター機構を説明する図である。
【図３】図２のシャッター機構の動作を垂直断面で説明する図である。
【図４】図２のシャッター機構の動作を水平断面で説明する図である。
【図５】実施例２によるプロジェクタ装置のシャッター機構を説明する図である。
【図６】図５のシャッター機構の動作を垂直断面で説明する図である。
【図７】図５のシャッター機構の動作を水平断面で説明する図である。
【図８】実施例３によるプロジェクタ装置を示す模式斜視図である。
【図９】図８の端子接続面切換機構の動作等を説明する図である。
【図１０】図８の端子接続面切換機構の動作を説明するフローチャートである。
【図１１】実施例４によるプロジェクタ装置を示す模式斜視図である。
【図１２】一従来例によるプロジェクタ装置を示す模式断面図である。
【符号の説明】
【００３８】
１０、７０    筐体
１１    前面
１２    背面
１３    側面
１４    背面排気口
１５、７５    側面排気口
１６    冷却ファン
１７    Ｌ型開口
２１    前面転倒防止部材
２２、３２    キャスター
３１、５１、５２    背面転倒防止部材
３４    ローラー
３５    突起部
４１    ラック
４４    シャッター軸
４５    シャッター
５３、５４    コイルバネ
６１    入出力端子
６１ａ    接続面
６２    壁検出スイッチ
６２ａ    レバー
６３    モーター
【図１】
2005292210.tif 000003
【図２】
2005292210.tif 000004
【図３】
2005292210.tif 000005
【図４】
2005292210.tif 000006
【図５】
2005292210.tif 000007
【図６】
2005292210.tif 000008
【図７】
2005292210.tif 000009
【図８】
2005292210.tif 000010
【図９】
2005292210.tif 000011
【図１０】
2005292210.tif 000012
【図１１】
2005292210.tif 000013
【図１２】
2005292210.tif 000014